(57)【要約】      （修正有）【課題】柱頭部に対する屋根梁の建方キャンバーによる付加回転角度を確保して屋根梁の設計高さを確保できる柱と屋根支承部との接合部構造を提供する。【解決手段】形鋼２のウェブ２２と屋根梁１の支承部１ａのベースプレート１１下面に突設したプレート１３との接合を複数の孔とこれらに整合する複数のボルト１３ａによって行うように構成したことにより、従来のものとは異なり、前記形鋼２のウェブ２２と屋根梁１の支承部１ａのベースプレート１１下面に突設したプレート１３との鉛直面内での板同士のボルト接合によって、ボルト孔のクリアランスを利用して、屋根梁１の建方キャンバーによる付加回転角度を確保した後にボルトを締め付けることができるので、鉄骨等の屋根梁１の設計高さを確保する建方が可能となる。しかも、建方時には柱位置での屋根梁の高さの微調整もできる。【選択図】図１
0003160530.tif 000002
【実用新案登録請求の範囲】
【請求項１】
ウェブを有する形鋼の柱頭と屋根梁の支承部との接合部構造において、前記形鋼のウェブと屋根梁の支承部のベースプレート下面に突設したプレートとの接合を複数の孔とこれらに整合する複数のボルトによって行うように構成したことを特徴とする柱と屋根支承部との接合部構造。
【請求項２】
ウェブを有する形鋼の柱頭と屋根梁の支承部との接合部構造において、前記形鋼のウェブの一部を切除するとともにその切除したウェブの切断面に新たなフランジ板を接合し、該新たなフランジ板と屋根梁の支承部のベースプレート下面に突設したプレートとの接合を複数の孔とこれらに整合する複数のボルトによって行うように構成したことを特徴とする柱と屋根支承部との接合部構造。
【請求項３】
前記形鋼のウェブ面およびその周辺にスチフナーあるいはリブプレート等の補強プレートを設けたことを特徴とする請求項１または２に記載の柱と屋根支承部との接合部構造。
【請求項４】
前記形鋼の柱の部材芯と屋根梁の支承部芯とが略一致するように、前記屋根梁の支承部のベースプレート下面に突設したプレートが配置されるように構成したことを特徴とする請求項１から３のいずれかに記載の柱と屋根支承部との接合部構造。
【請求項５】
前記屋根梁の支承部のベースプレート下面に突設したプレート、またはベースプレート下面と該ベースプレート下面に突設したプレートとの間に設けたリブプレートが、壁面筋交いのガセットプレートを兼用するように構成されたことを特徴とする請求項１から４のいずれかに記載の柱と屋根支承部との接合部構造。
【請求項６】
前記請求項１から５のいずれかに記載の柱頭と屋根梁の支承部との接合部構造を有する構造物。
【考案の詳細な説明】
【技術分野】
【０００１】
本考案は、格納庫等の屋根架構等に用いられるウェブを有する形鋼の柱頭と屋根梁の支承部との接合部構造およびその接合部構造を用いた構造物に関する。特に、Ｈ形鋼等の柱頭と鉄骨屋根梁の支承部との接合部構造への適用を好適とする。
【背景技術】
【０００２】
大張間の建物において、図６（Ａ）およびそのイ−イ断面である図６（Ｂ）に例示したように、屋根架構の鉄骨トラス梁１と屋根を支える柱２との接合を構造計算上ピン接合と仮定して、曲げモーメントを伝えない構造とすることがあった。そのとき、従来は、例えば、図７（Ａ）およびその側面図である図７（Ｂ）に示すように、柱頭部２ａにトッププレート２１を設けて、トッププレート２１と、トラス梁１の支承部１ａの支承部束材１２の下端に設けられたベースプレート１１とを、ボルト１１ａにて接合する構造としていた（例えば第１従来例としての下記特許文献１参照）。
【０００３】
大張間架構では、図６（Ｂ）に示す破線のように、トラス梁１他の自重による比較的大きな撓みＺが生じる。そのとき、図７（Ｂ）に示すように、柱頭部２ａでは回転角θが発生することになるが、実際の鉄骨柱とトラス支承部との接合部の納まりは、支承部１ａのベースプレート１１と柱頭部２ａのトッププレート２１とがボルト１１ａにて、実際的にはほぼ剛に近い状態で接合されているため、前記回転角θを吸収できずに、柱２に曲げ変形が生じることは避けられなかった。
【０００４】
一方、トラス梁１の建方において、建方完了時に設計高さを確保するために、トラス梁１他の自重による撓み量を推定して、トラス梁１の中間部を設計高さよりも僅かに高くなるようにトラス梁１、１、・・・を組み上げる、いわゆる建方キャンバーを採ることがある。その場合には、柱頭部２ａでは図７（Ｂ）に示す回転角θとは逆向きの角度が生じるようにトラス梁１を組み上げる必要があるが、上述した第１従来例のものでは支承部１ａと柱頭部２ａとの接合方法が建方キャンバーによる付与角度を吸収できない構造であるため、建方キャンバーを採るには適さない構造であった。
【０００５】
この問題に対する解決方法としては、従来から、トラス梁１他の自重による撓み量を推定して、設計高さより僅かに高い寸法によりトラス梁１を製作する、いわゆる製作キャンバーを採ることが行われている。しかし、この方法では、設計寸法とは別に構造架構の座標を設定する必要があること、およびトラス梁１、１、・・・の各位置での撓み量が一様ではないので、個々のトラス梁１の部材長さ寸法が微妙に異なり、製作に手間を要するという問題があった。
また、鋼柱とトラス梁との接合を溶接によることなく、ボルト接合により行うようにする先行技術として例えば、下記特許文献２および３が提案されている。
【先行技術文献】
【特許文献】
【０００６】
【特許文献１】実公昭３０−１０２３０号公報（実用新案登録請求の範囲参照）
【特許文献２】特開２００８−２９７７０１号公報（要約書参照）
【特許文献３】特開２００６−０７７５４５号公報（要約書参照）
【考案の概要】
【考案が解決しようとする課題】
【０００７】
前記特許文献２に開示された第２従来例である鋼構造トラス架構を図８を用いて説明すると、この第２従来例では、Ｈ形鋼柱１０１とトラス梁１０２との接合を、ＣＴ形鋼１１０と高力ボルト１１１で行い、溶接によらない方法が開示されている。トラス梁１０２の上弦材１０３、下弦材１０４およびラチス材１０５の各端部は、Ｈ形鋼１０１の柱側面のフランジ１０１ａに高力ボルト１１１で接合されているので、梁と柱の接合部は曲げモーメントを伝達するための剛接方法であり、上下弦材１０３、１０４端部のボルト孔のクリアランス分で確保し得る回転角度は、大きなトラス成のために、建方キャンバーによる付与角度を吸収することは殆ど無理であった。
【０００８】
また、前記特許文献３に開示された第３従来例である柱最上部における柱と梁の接合構造および接合方法を図９を用いて説明すると、この第３従来例では、Ｈ形鋼柱２０１の頂部にＨ形鋼の梁２０２を載せ、相互の接合をＣＴ形鋼２１５と高力ボルト２０６で行い、溶接によらない方法が開示されている。Ｈ形鋼柱２０１の両フランジ２１１、２１２にＣＴ形鋼２１５が高力ボルト２０６で取り付けられているので、この方法も柱と梁との接合部を剛接合とする方法であると言える。本方法では、柱２０１頭部と取り合う梁２０２の角度は、柱２０１頭部の両フランジ２１１、２１２に取り付いた２つのＣＴ形鋼２１５のフランジ２１３により固定されてしまうので、これも建方キャンバーのための角度を付与することはできない。
【０００９】
そこで本考案は、従来の大張間建物等の構造物における柱と屋根支承部との接合部構造の課題を解決して、柱頭部に対する屋根梁の建方キャンバーによる付加回転角度を確保して屋根梁の設計高さを確保できる柱と屋根支承部との接合部構造および構造物を提供することを目的とする。
【課題を解決するための手段】
【００１０】
このため本考案は、ウェブを有する形鋼の柱頭と屋根梁の支承部との接合部構造において、前記形鋼のウェブと屋根梁の支承部のベースプレート下面に突設したプレートとの接合を複数の孔とこれらに整合する複数のボルトによって行うように構成したことを特徴とする。また本考案は、ウェブを有する形鋼の柱頭と屋根梁の支承部との接合部構造において、前記形鋼のウェブの一部を切除するとともにその切除したウェブの切断面に新たなフランジ板を接合し、該新たなフランジ板と屋根梁の支承部のベースプレート下面に突設したプレートとの接合を複数の孔とこれらに整合する複数のボルトによって行うように構成したことを特徴とする。また本考案は、前記形鋼のウェブ面およびその周辺にスチフナーあるいはリブプレート等の補強プレートを設けたことを特徴とする。また本考案は、前記形鋼の柱の部材芯と屋根梁の支承部芯とが略一致するように、前記屋根梁の支承部のベースプレート下面に突設したプレートが配置されるように構成したことを特徴とする。また本考案は、前記屋根梁の支承部のベースプレート下面に突設したプレート、またはベースプレート下面と該ベースプレート下面に突設したプレートとの間に設けたリブプレートが、壁面筋交いのガセットプレートを兼用するように構成されたことを特徴とする。また本考案は、前記いずれかに記載の柱頭と屋根梁の支承部との接合部構造を有する構造物を構成要件とするもので、これらを課題解決のための手段とする。
【考案の効果】
【００１１】
本考案によれば、請求項１の構成要件である、ウェブを有する形鋼の柱頭と屋根梁の支承部との接合部構造において、前記形鋼のウェブと屋根梁の支承部のベースプレート下面に突設したプレートとの接合を複数の孔とこれらに整合する複数のボルトによって行うように構成したことにより、従来のものとは異なり、前記形鋼のウェブと屋根梁の支承部のベースプレート下面に突設したプレートとの鉛直面内での板同士のボルト接合によって、ボルト孔のクリアランスを利用して、屋根梁の建方キャンバーによる付加回転角度を確保した後にボルトを締め付けることができるので、鉄骨等の屋根梁の設計高さを確保する建方が可能となる。しかも、建方時には柱位置での屋根梁の高さの微調整もできる。
【００１２】
また、請求項２の構成要件である、ウェブを有する形鋼の柱頭と屋根梁の支承部との接合部構造において、前記形鋼のウェブの一部を切除するとともにその切除したウェブの切断面に新たなフランジ板を接合し、該新たなフランジ板と屋根梁の支承部のベースプレート下面に突設したプレートとの接合を複数の孔とこれらに整合する複数のボルトによって行うように構成したことにより、形鋼のウェブ面以外の面、例えばウェブ面に直交する面に新たなフランジ板を接合して、このフランジ板の板面を屋根梁の支承部のベースプレート下面に突設したプレートと接合することができるので、前記請求項１の構成要件におけるウェブ面とは異なる面での鉛直面内での板同士のボルト接合によって、ボルト孔のクリアランスを利用して、屋根梁の建方キャンバーによる付加回転角度を確保した後にボルトを締め付けることができるので、撓みの大きい方向に合わせて屋根梁の建方キャンバーを採れて、鉄骨等の屋根梁の設計高さを確保する建方が可能となる。無論、建方時の柱位置での屋根梁の高さの微調整もできる。
【００１３】
さらに、前記形鋼のウェブ面およびその周辺にスチフナーあるいはリブプレート等の補強プレートを設けた場合は、屋根梁の支承部のベースプレート下面に突設したプレートから伝達された鉛直力がウェブに作用した際に、高い強度で補強されたウェブ面やリブプレートを介してその鉛直力が形鋼のフランジに分散して流れ易くなり、円滑な鉛直力の分散が行われる。さらにまた、前記形鋼の柱の部材芯と屋根梁の支承部芯とが略一致するように、前記屋根梁の支承部のベースプレート下面に突設したプレートが配置されるように構成した場合は、形鋼の柱の部材芯と屋根梁の支承部である束材の芯とが一致するので、屋根梁の支承部のベースプレート下面に突設したプレートに壁面筋交い等が取り付いても、壁面筋交い等からの力により偏心等が生じる虞れがないので、局部的な偏心曲げモーメントが発生せず、鉛直力および水平力の伝達が円滑となる。
【００１４】
また、前記屋根梁の支承部のベースプレート下面に突設したプレート、またはベースプレート下面と該ベースプレート下面に突設したプレートとの間に設けたリブプレートが、壁面筋交いのガセットプレートを兼用するように構成された場合は、前記プレートまたはリブプレートを壁面筋交いのガセットプレートに兼用して、壁面筋交いの方向を適宜の方向に選定できるし、前記形鋼の柱の部材芯と屋根梁の支承部芯とが略一致するように、前記屋根梁の支承部のベースプレート下面に突設したプレートが配置されるように構成すれば、壁面筋交い等からの力により偏心等が生じる虞れがないので、プレートまたはリブプレートのいずれの方向においても局部的な偏心曲げモーメントが発生せず、鉛直力および水平力の伝達が円滑となる。
【００１５】
さらに、前記いずれかに記載の柱頭と屋根梁の支承部との接合部構造を有する構造物を構成要件とする場合は、構造物としての格納庫等の屋根架構等において、ウェブを有する形鋼を柱頭に用いても、柱頭と屋根梁の支承部との接合部において、以上述べてきたような構成によって屋根梁の建方キャンバーによる付加回転角度を確保できるので、鉄骨等の屋根梁の設計高さを確保して、建方時には柱位置での屋根梁の高さの微調整もできる構造物が提供できる。
【図面の簡単な説明】
【００１６】
【図１】本考案の柱と屋根支承部との接合部構造の第１実施例の要部断面正面図および側面図である。
【図２】本考案のボルト孔のクリアランスによる回転可能な角度φの説明図である。
【図３】本考案の柱と屋根支承部との接合部構造の第１実施例の柱ウェブ補強例の要部断面正面図および側面図である。
【図４】本考案の柱と屋根支承部との接合部構造の第２実施例の柱ウェブ補強例の要部断面正面図および側面図である。
【図５】本考案の柱と屋根支承部との接合部構造の第２実施例の変形例の要部断面正面図および側面図である。
【図６】従来の大張間のトラス梁平面図およびトラス梁の変形を示す正面説明図である。
【図７】第１従来例の柱と屋根支承部との接合部構造の説明図である。
【図８】第２従来例の柱と屋根支承部との接合部構造の説明図である。
【図９】第３従来例の柱と屋根支承部との接合部構造の説明図である。
【考案を実施するための形態】
【００１７】
以下、本考案の柱と屋根支承部との接合部構造を実施するための好適な形態を図面に基づいて説明する。本考案の柱と屋根支承部との接合部構造は、図１に示すように、ウェブ２２を有する形鋼の柱頭２ａと屋根梁１の支承部１ａとの接合部構造において、前記形鋼のウェブ２２と屋根梁１の支承部１ａのベースプレート１１下面に突設したプレート１３との接合を複数の孔（図２の１３ｂ）とこれらに整合する複数のボルト１３ａによって行うように構成したことを特徴とするものである。
【実施例１】
【００１８】
図１および図２は本考案の柱と屋根支承部との接合部構造の第１実施例を示す要部正面図および側面図ならびにボルト孔のクリアランスによる回転可能な角度φの説明図である。図１（Ａ）は図１（Ｂ）のロ−ロ断面の要部断面正面図である。屋根梁であるトラス梁１の支承部１ａにおける束材１２の下端に設けたベースプレート１１の下面に、下向きの突設プレート１３を設け、該突設プレート１３と形鋼（Ｈ形鋼を好適とする。以下Ｈ形鋼を実施例とするが、Ｉ形鋼や、クロスＨ形組立材、場合によっては部材芯が出せるならＬ形鋼等も対象とできる。）の柱２におけるウェブ２２の面が接するようにしてボルト１３ａにて接合される。突設プレート１３は支承部束材１２の部材芯と柱２の部材芯とが一致するように取り付けられる。
【００１９】
また、突設プレート１３には、柱２の部材芯と一致するようにリブプレート１４を設ける。つまり、屋根梁１の支承部１ａのベースプレート１１と該ベースプレート１１の下面に突設した突設プレート１３との間に渡りリブプレート１４を設ける。好適には、水平状のベースプレート１１に直交する鉛直状の突設プレート１３とにそれぞれ直交状に突設プレート１３の補強プレートとしてのリブプレート１４が溶接等により接合設置される。本実施例では、突設プレート１３は図１（Ｂ）に示すように、Ｈ形鋼の柱２のフランジ２３、２３間に納まる可能な限り広い幅の寸法とされる。そして、リブプレート１４に壁面筋交い１７が取り付く場合には、該リブプレート１４がそのガセットプレートにも兼用される。
【００２０】
さらに、突設プレート１３の下部近傍には、スチフナー１６がウェブ２２に直交状でかつ水平状に立設されて両フランジ２３、２３との間に渡設されて溶接等により接合される。これは、突設プレート１３から伝達された鉛直力がウェブ２２に作用したときに、該スチフナー１６によるフランジ２３、２３も含めた補剛と補強によって、鉛直力がフランジ２３、２３に分散して流れ易くなり、円滑な鉛直力の分散が行われる。
【００２１】
突設プレート１３の下部近傍のウェブ２２の補強方法としては、図３（Ａ）（Ｂ）に示すように、突設プレート１３が接する部分のウェブ２２に、該突設プレート１３よりもやや大きな添設プレート１６ａを溶接等により添設して設置することも有効である。第１実施例では、突設プレート１３とウェブ２２とを接合しているボルト１３ａの孔１３ｂ（図２）にはボルト１３ａとの間にクリアランス（通常は１ｍｍ〜２ｍｍ程度）があり、建方キャンバーを採る場合には、ボルト１３ａを締める前に、図１（Ｂ）または図３（Ｂ）の面内においてθとは逆向きの付与角度を決めた後に、全てのボルト１３ａを締め付ければよい。例えば、図２に示したように、４本のボルト１３ａの場合で説明すると、ボルトピッチＰが縦横共１００ｍｍだった場合、ボルト孔１３ｂのクリアランスＣが±１ｍｍであれば、回転可能な角度φは約±０．４０５度となり、建方キャンバーを採るには有効な角度幅を確保できる。
【実施例２】
【００２２】
図４および図５は第２実施例の柱ウェブ補強例およびその変形例のそれぞれの要部正面図および側面図である。図４（Ａ）は図４（Ｂ）のホ−ホ断面の要部断面正面図、図５（Ａ）は図５（Ｂ）のハ−ハ断面の要部正面図である。Ｈ形鋼の柱２の柱頭部２ａの片側フランジ２３の一部と、その範囲の片側フランジ２３に接続したウェブ２２をＨ形鋼の部材芯近傍まで切除し（図４（Ｂ）のｈの範囲）、その切除後のウェブ２２の切断面に新たなフランジ板１５を設け（ウェブ２２の面に直交状に溶接等により）、支承部１ａのベースプレート１１の下面に設けた突設プレート１３と、新たなフランジ板１５との接合をボルト１３ａで行い、かつその新たなフランジ板１５は切除したウェブ２２の長さｈよりも長く下方向に延ばし、ウェブ２２とフランジ２３、２３および新たなフランジ板１５に溶接されたスチフナー１６が設けられる。これらのスチフナー１６は、新たなフランジ板１５とウェブ２２およびフランジ２３、２３を効果的に補剛・補強することになる。
【００２３】
図４（Ａ）（Ｂ）のものでは、新たなフランジ板１５の下部近傍のウェブ２２の（周辺部の）補強方法として、図示のように、新たなフランジ板１５の下端部分から両フランジ２３、２３に至る斜め下方向の斜めスチフナー１６ｂをウェブ２２に対して直交起立状に溶接にて添設される。この例では、突設プレート１３から新たなフランジ板１５に伝達された鉛直力が斜め下方向の斜めスチフナー１６ｂを介して円滑にウェブ２２とフランジ２３、２３に分散される。または、図５（Ａ）（Ｂ）に示すように、新たなフランジ板１５の下部近傍のウェブ２２の（周辺部の）補強方法として、新たなフランジ板１５の中間部および下端部分から両フランジ２３、２３に渡ってウェブ２２との表裏に直交起立状に２つの水平スチフナー１６を溶接等により設ける。この例では、上下２つの水平スチフナー１６により、新たなフランジ板１５が強固に補強される。
【００２４】
前記第１実施例と同様に、突設プレート１３は、支承部束材１２の部材芯とＨ形鋼の柱２の部材芯とが一致するように取り付けられる。また、突設プレート１３には、柱２の部材芯と一致するようにリブプレート１４を設け、突設プレート１３の補強をしている。柱頭部２ａに壁面筋交い１７が取り付く場合には、突設プレート１３は壁面筋交い１７のガセットプレートにも兼用される。また、新たなフランジ板１５に溶接された水平スチフナー１６は、突設プレート１３から伝達された鉛直力が新たなフランジ板１５に作用したとき、このスチフナー１６による補剛と補強によって、鉛直力がフランジ２３、２３に流れ易くして、力の分散を円滑にできる効果がある。
【００２５】
本第２実施例では、突設プレート１３と新たなフランジ板１５とを接合しているボルト１３ａの孔１３ｂにはクリアランス（通常は１ｍｍ〜２ｍｍ程度）があり、建方キャンバーを採る場合には、ボルト１３ａを締める前に、図５（Ａ）または図４（Ａ）の面内において角度θとは逆向きの付与角度を決めた後に、全てのボルト１３ａを締め付ければよい。また、回転可能な角度については、実施例１で説明（図２参照）したものと同様である。
【００２６】
以上、２つの実施例は、Ｈ形鋼柱２の部材芯と屋根トラス梁１の支承部束材１２の芯とが一致するように、ベースプレート１１の下面に設けた突設プレート１３またはリブプレート１４が位置するので、壁面筋交い１７が取り付いても偏心がないため、局部的な偏心曲げモーメントが発生せず、力の伝達が円滑になる。また、実施例１と実施例２との使い分けは、トラス梁１の撓み変形（支承部１ａでの回転角度）が大きい方向が、突設プレート１３の面と一致するように決定すればよい。かくして、本考案の接合部構造を有する大張間建物の屋根架構は、鉄骨建方において、製作キャンバーを採ることなく屋根鉄骨梁の設計高さを確保することが容易な構造物を提供することができることとなる。
【００２７】
以上、本考案の実施例について説明してきたが、本考案の趣旨の範囲内で、柱を構成するウェブを有する形鋼の形状、形式（好適にはＨ形鋼が採用されるが、Ｉ形鋼やクロスＨ形組立材、芯出しが可能ならばＬ形鋼、十字形鋼への適用を妨げない）およびその材質（好適には鋼材が採用されるがその他の金属材でもよい）、トラス梁としての屋根梁の形状、形式（トラス梁下弦材の形式を含む。前記柱を構成する形鋼と同様に各種断面形状の形式が採用される）およびその支承部の形態（支承部束材とベースプレートとトラス梁下弦材の溶接等による接合形態を含む）ならびに材質（好適には鋼材が採用されるがその他の金属材でもよい）、突設プレートの形状（柱を構成する形鋼のウェブへの整合する溶接等による添設形態のための形状、新たなフランジ板への整合する溶接等による添設形態のための形状、壁面筋交いを取り付けるための形状等）、形式およびその屋根梁のベースプレートへの接合形態（好適にはベースプレートに対して直交して溶接等により垂設される）、形鋼のウェブまたは該ウェブの切除した切断面に接合された新たなフランジ板との突設プレートとのボルトによる接合形態（ボルト孔とボルトとの組み合わせ数、配設形態およびそれらのクリアランス量の選定を含む）、形鋼のウェブ面およびその周辺（ウェブ面と直交する部位やウェブ面に接合される突設プレート近傍等）でのスチフナーあるいはリブプレート等の補強プレートの配設・接合形態、スチフナーあるいはリブプレートの形状、形式およびそれらの配設形態（水平配置、傾斜配置、垂直配置等）、形鋼の柱の部材芯と屋根梁の支承部芯とを略一致させるような突設プレートの配置形態、突設プレートまたはリブプレートの壁面筋交いのガセットプレートの兼用形態、柱頭と屋根梁の支承部との接合部構造を有する構造物の種類等については適宜選定できる。また、実施例に記載の諸元はあらゆる点で単なる例示に過ぎず限定的に解釈してはならない。
【産業上の利用可能性】
【００２８】
本考案の柱と屋根支承部との接合部構造は、格納庫等の屋根架構等に用いられ、特に、Ｈ形鋼等の柱頭と鉄骨屋根梁の支承部との接合部構造への適用を好適とする。格納庫に限らず、大張間の建築構造物である体育館、プール、競技施設、貨物車両整備場等の柱と屋根支承部との接合部にも適用が可能である。
【符号の説明】
【００２９】
１      トラス梁
１ａ      支承部
２      柱
２ａ      柱頭部
１１      ベースプレート
１２      支承部束材
１３      突設プレート
１３ａ    ボルト
１４      リブプレート（補強プレート）
１６      スチフナー（補強プレート）
１７      壁面筋交い
２０      トラス梁下弦材
２２      ウェブ
２３      フランジ
θ      トラス梁の撓みに伴う支承部の回転角度
【図１】
0003160530.tif 000003
【図２】
0003160530.tif 000004
【図３】
0003160530.tif 000005
【図４】
0003160530.tif 000006
【図５】
0003160530.tif 000007
【図６】
0003160530.tif 000008
【図７】
0003160530.tif 000009
【図８】
0003160530.tif 000010
【図９】
0003160530.tif 000011
【手続補正書】
【提出日】平成22年4月19日(2010.4.19)
【手続補正１】
【補正対象書類名】実用新案登録請求の範囲
【補正対象項目名】請求項６
【補正方法】変更
【補正の内容】
【請求項６】
前記請求項１から５のいずれかに記載の柱と屋根支承部との接合部構造を有する構造物。
【手続補正２】
【補正対象書類名】明細書
【補正対象項目名】００１０
【補正方法】変更
【補正の内容】
【００１０】
このため本考案は、ウェブを有する形鋼の柱頭と屋根梁の支承部との接合部構造において、前記形鋼のウェブと屋根梁の支承部のベースプレート下面に突設したプレートとの接合を複数の孔とこれらに整合する複数のボルトによって行うように構成したことを特徴とする。また本考案は、ウェブを有する形鋼の柱頭と屋根梁の支承部との接合部構造において、前記形鋼のウェブの一部を切除するとともにその切除したウェブの切断面に新たなフランジ板を接合し、該新たなフランジ板と屋根梁の支承部のベースプレート下面に突設したプレートとの接合を複数の孔とこれらに整合する複数のボルトによって行うように構成したことを特徴とする。また本考案は、前記形鋼のウェブ面およびその周辺にスチフナーあるいはリブプレート等の補強プレートを設けたことを特徴とする。また本考案は、前記形鋼の柱の部材芯と屋根梁の支承部芯とが略一致するように、前記屋根梁の支承部のベースプレート下面に突設したプレートが配置されるように構成したことを特徴とする。また本考案は、前記屋根梁の支承部のベースプレート下面に突設したプレート、またはベースプレート下面と該ベースプレート下面に突設したプレートとの間に設けたリブプレートが、壁面筋交いのガセットプレートを兼用するように構成されたことを特徴とする。また本考案は、前記いずれかに記載の柱と屋根支承部との接合部構造を有する構造物を構成要件とするもので、これらを課題解決のための手段とする。
【手続補正３】
【補正対象書類名】明細書
【補正対象項目名】００１５
【補正方法】変更
【補正の内容】
【００１５】
さらに、前記いずれかに記載の柱と屋根支承部との接合部構造を有する構造物を構成要件とする場合は、構造物としての格納庫等の屋根架構等において、ウェブを有する形鋼を柱頭に用いても、柱頭と屋根梁の支承部との接合部において、以上述べてきたような構成によって屋根梁の建方キャンバーによる付加回転角度を確保できるので、鉄骨等の屋根梁の設計高さを確保して、建方時には柱位置での屋根梁の高さの微調整もできる構造物が提供できる。